(57)【要約】  【課題】充填板と密閉型熱交換器を小型冷却塔内の別の場所に、分離離間して配置することにより、散布水系の配管と循環冷却水系の配管を簡素化し、メンテナンスの容易化を図る。【解決手段】  散水装置１１と周囲外気取入口１２との間に充填板１３が充填され、開放式熱交換器とし、充填板１３に散布された散布水を落とし込み水槽１４から散水装置１１に戻す散布水配管系Ａが配置してある。循環冷却水を冷却するプレート式の密閉型熱交換器１５は、全体がブロック体Ｂとして小型冷却塔１０の機枠外側に配置されている。  【選択図】  図１
2006226661.tif 000002
【特許請求の範囲】
【請求項１】
向流式の小型冷却塔において、
散水装置と周囲外気取入口との間に充填板が充填され、開放式熱交換器とし、
充填板に散布された散布水を落とし込み水槽から散水装置に戻す散布水配管系が配置してあり、
循環冷却水を冷却する少なくとも1つのプレート式乃至パイプ式の密閉型熱交換器は、前記充填板とは前記小型冷却塔の別の箇所にまとめて配置され、
この密閉型熱交換器内には、循環冷却水流路と散布水流路が間接的に接触する形態で垂直に並列して多数配置され、この密閉型熱交換器は全体がブロック体としてあり、
負荷部に連なる循環冷却水流路内を循環冷却水が流れるように循環冷却水入口と、循環冷却水出口が前記ブロック体に設けられ、
前記散布水配管系の一部を成す前記散布水流路内を散布水が落とし込み水槽から散水装置に流す散布水入口と、散布水出口が前記ブロック体に設けてあり、
前記落とし込み水槽から前記散布水流路内を流れる散布水で、前記負荷部から循環冷却水流路を流れる循環冷却水を向流式で間接的に冷却し、その冷水を負荷部に供給する供給管が前記循環冷却水出口に連通していることを特徴とする向流式の小型冷却塔。
【請求項２】
前記密閉型熱交換器は前記小型冷却塔の機枠に配置されていることを特徴とする請求項１記載の向流式の小型冷却塔。
【請求項３】
前記密閉型熱交換器は、前記小型冷却塔の散布水汲み上げポンプと共に前記小型冷却塔に設置されていることを特徴とする請求項１または２記載の向流式の小型冷却塔。
【請求項４】
前記密閉型交換器は、ブロック体として、全体として交換可能としてあることを特徴とする請求項１、２または３記載の向流式の小型冷却塔。
【請求項５】
前記密閉型熱交換器は、その周面を断熱材で被覆され、凍結防止可能な構造としてあることを特徴とする請求項１、２、３または４記載の向流式の小型冷却塔。
【請求項６】
充填板への散布水を遮断し落とし込み水槽内に戻す管路が前記密閉型熱交換器における散布水の出口側に選択的に連通可能とし、凍結防止可能な構造としてある請求項１、２、３、４または５記載の向流式の小型冷却塔。
【請求項７】
前記密閉型熱交換器は、プレート式の密閉型熱交換器とし、循環冷却水流路用のプレートと散布水流路用のプレートが相互に接触する形態で並列して多数配置され成り、これら重ね合わせたプレートから成る密閉型熱交換器の周囲が完全に蝋付けされ、全体が一つのブロック体としてあることを特徴とする請求項１、２、３、４、５または６記載の向流式の小型冷却塔。
【請求項８】
前記密閉型熱交換器は、パイプ式の密閉型熱交換器とし、循環冷却水流路用のパイプが複数本、箱内に配管され、この箱内で前記複数のパイプに対して向流で散布水が流れる構造としてあり、全体が一つのブロック体としてあることを特徴とする請求項１、２、３、４、５または６記載の片吸込み型で直交流式の小型冷却塔。
【発明の詳細な説明】
【技術分野】
【０００１】
本発明は、向流式小型冷却器に関するものである。
【背景技術】
【０００２】
従来から密閉型冷却塔 として、下記構造のものが知られている。
即ち、下方位置に散水管が設けられ散水管の下方には、カウンターフロー用充填板が設けられている。この冷却塔では、散水装置の下方にカウンターフロー用充填板と熱交換コイルが階層的に配列され、これらカウンターフロー用充填板と熱交換コイルから成る熱交換部分より下方出、前記小型冷却塔のグリルに形成された外気取入口から外気が吸引され、この空気と散水装置からカウンターフロー用充填板上に散布された散布水とが略向流で接触して熱交換を行い、冷却された散布水で前記熱交換コイル内を流れる循環冷却水は間接的に冷却され、散布水は落とし込み水槽に集められ、散水装置に戻され、循環使用される。更に、前記熱交換コイル内を流れる循環冷却水は負荷部に冷水として供給され、負荷部における冷媒を間接的に冷却した後、前記熱交換コイル内に戻される。
【特許文献１】特公平５−１７４７８号公報
【発明の開示】
【発明が解決しようとする課題】
【０００３】
前記従来例においては、カウンターフロー用充填板と熱交換コイルが階層的に配列されているため、その配管が複雑であると共に、メンテナンスに時間を要している。
この発明の主目的は、カウンターフロー用充填板と密閉型熱交換器の配置を改良することにより、配管を簡素化し、メンテナンスの容易化を図る。
この発明の別の目的は、向流式の小型冷却塔における落とし込み水槽の外面に形成した凹部を利用して前期熱交換器部を設置可能とし、占有面積を増大させることなく、充分な冷水を負荷部へ供給できるようにする。
また、この発明の他の目的は、冬期における密閉型熱交換器の凍結を容易に防止できるようにすることである。
この発明の別の目的は、熱交換器部分を容易に交換できるようにすることである。
更なる目的は、循環冷却水のエア抜きを簡易に行い、水抜き不良による凍結によるパイプの破損を未然に防止することにある。
【課題を解決するための手段】
【０００４】
前記課題を解決する為に、この発明は、向流式の小型冷却塔において、
散水装置と周囲外気取入口との間に充填板が充填され、開放式熱交換器とし、
充填板に散布された散布水を落とし込み水槽から散水装置に戻す散布水配管系が配置してあり、
循環冷却水を冷却する少なくとも1つのプレート式乃至パイプ式の密閉型熱交換器は、前記充填板とは前記小型冷却塔の別の箇所にまとめて配置され、
この密閉型熱交換器内には、循環冷却水流路と散布水流路が間接的に接触する形態で垂直に並列して多数配置され、この密閉型熱交換器は全体がブロック体としてあり、
負荷部に連なる循環冷却水流路内を循環冷却水が流れる循環冷却水入口と、循環冷却水出口が前記ブロック体に設けられ、
前記散布水配管系の一部を成す前記散布水流路内を散布水が落とし込み水槽から散水装置に流す散布水入口と、散布水出口が前記ブロック体に設けてあり、
前記落とし込み水槽から前記散布水流路内を流れる散布水で、前記負荷部から循環冷却水流路を流れる循環冷却水を向流式で間接的に冷却し、その冷水を負荷部に供給する供給管が前記循環冷却水出口に連通していることを特徴とする向流式の小型冷却塔としてある。
【発明の効果】
【０００５】
前記のように本件各請求項記載の発明においては、循環冷却水を冷却するプレート式乃至パイプ式の密閉型熱交換器は、前記充填板とは前記小型冷却塔の別の箇所にまとめて配置され、
循環冷却水を冷却する少なくとも1つのプレート式乃至パイプ式の密閉型熱交換器内には、循環冷却水流路と散布水流路が配置され、
この密閉型熱交換器は全体ブロック体としてあり、負荷部に連なる循環冷却水流路内を循環冷却水が流れるように循環冷却水入口と、循環冷却水出口が前記ブロック体に設けられ、
前記散布水配管系の一部を成す前記散布水流路内を散布水が落し込み水槽から散水装置に流す散布水入口と、散布水出口が前記ブロック体に設けてあり、
前記落とし込み水槽から前記散布水流路内を流れる散布水で、前記負荷部から循環冷却水流路を流れる循環冷却水を向流式で間接的に冷却し、その冷水を負荷部に供給する供給管が前記循環冷却水出口に連通していることにより、前記充填板と前記密閉型熱交換器を前記小型冷却塔内の別の場所に、分離離間して配置し、散布水系の配管と循環冷却水系の配管を簡素化し、メンテナンスを容易にできる。
【０００６】
前記向流式の小型冷却塔における下部水槽の外面に形成した凹部を利用して、前記熱交換器部が設置する場合には、占有面積を増大させることなく、充分な冷水を負荷部へ供給できる。
前記密閉型熱交換器は全体がブロック体としてあるため、容易に新旧の交換を行える。
前記密閉型熱交換器は、プレート式の密閉型熱交換器とし、循環冷却水流路用のプレートと散布水流路用のプレートが相互に接触する形態で並列して多数配置され成り、これら重ね合わせたプレートから成る密閉型熱交換器の周囲が完全に蝋付けされ、全体が一つのブロック体としてあることにより、前記密閉型熱交換器の交換をより容易に行える。
負荷部に連なる前記循環冷却水流路内を流れる循環冷却水が例えば上から下に流下するように循環冷却水入口と循環冷却水出口が前記ブロック体に設けられている場合には、循環冷却水のエア抜きを簡易に行い、水抜き不良による凍結によるパイプの破損を未然に防止できる。
また、この密閉型熱交換器を適宜断熱材で被覆することで、冬期における密閉型熱交換器の凍結を容易に防止できる。
前記充填板への散布水を遮断し、落とし込み水槽内に戻す管路が前記密閉型熱交換器における散布水出口側に選択的に連通可能としてあるため、冬期において前記充填板への散布水の散水を停止し、散布水配管系での凍結を未然に防止し、前記落とし込み水槽と前記密閉型熱交換器管との間でショットサーキットで循環し、前記落とし込み水槽内でヒータにより所定温度に維持した散布水を前記密閉型熱交換器に供給し、循環冷却水路の凍結を防止する。
【発明を実施するための最良の形態】
【０００７】
実施の形態１
この形態は、請求項1乃至８記載の発明の代表的な実施の形態である。
図1において、１０は向流式の小型冷却塔全体を示し、この小型冷却塔１０における散水装置１１と周囲外気取入口１２との間に充填板１３が充填され、開放式熱交換器とし、
充填板１３に散布された散布水を落とし込み水槽１４から散水装置１１に戻す散布水配管系Ａが配置してある。
循環冷却水を冷却する密閉型熱交換器１５は、プレート式の密閉型熱交換器とし、循環冷却水流路１６用のプレートと散布水流路１７用のプレートが相互に接触する形態で並列して多数配置され成り、これら重ね合わせたプレートから成る密閉型熱交換器１５の周囲が完全に蝋付けされ、全体がブロック体Ｂとしてある。
この密閉型熱交換器１５は負荷部（図示せず）に連なる循環冷却水流路１６内を循環冷却水が上から下に流下する循環冷却水入口１８と、循環冷却水出口１９が前記ブロック体Ｂに設けられ、前記散布水配管系Ａの一部を成す前記散布水流路１７内を散布水が前記落とし込み水槽１４から散水装置１１に流す散布水入口２０と、散布水出口２１が前記ブロック体Ｂに設けてある（図２参照）。即ち、この密閉型熱交換器１５は、液々で間接的に熱交換可能な構造としてある。
前記密閉型熱交換器１５は図5に示すようにパイプ式のものを配置してもこの発明としては同じである。
前記パイプ式の密閉型熱交換器としは、循環冷却水流路用のパイプが複数本、箱内に配管され、この箱内で前記複数のパイプ周囲に向流で散布水が流れる構造としてあり、全体が一つのブロック体としてある。
【０００８】
前記落とし込み水槽１４から前記散布水流路１７内を流れる散布水で、前記負荷部から循環冷却水流路１６を流れる循環冷却水を間接的に冷却し、その冷水を負荷部に供給する供給管２２が前記循環冷却水出口１９に連通している。
【０００９】
前記密閉型熱交換器１５は充填板１３の側方で、前記周囲外気取入口１２の上側において、  前記小型冷却塔１０ａの機枠の外側に配置されている。好ましくは、前記小型冷却塔１０の機枠の一側壁の一部を凹に形成し、この凹部Ｄ内に前記密閉型熱交換器１５が配置されている。
前記密閉型熱交換器１５は、ブロック体Ｂとして、全体が交換可能としてある。
前記小型冷却塔１０の冷却トン数は、１００冷却トン以下としてある。
前記負荷部は空調器、冷却装置、保管・保存装置、その他の冷熱を必要とする設備としてある。
前記空調装置としては、熱交換器を介して空調機、ファンコイルユニットのうちの1つに配管を通じて連通している。
前記密閉型熱交換器１５への循環冷却水供給管２３と、循環冷却水戻し管である前記供給管２２は、この小型冷却塔１０の外側に引き出されている。この循環冷却水供給管２３の頂部にエア抜き用のバルブＣが設けてある。
【００１０】
前記密閉型熱交換器１５は、その周面を断熱材２４で被覆され、凍結防止可能な構造としてある（図３参照）。
更に充填板１３への散布水を遮断し前記落とし込み水槽１４内に戻す管路２５が前記密閉型熱交換器１５における散布水出口２１側に選択的に連通可能とするために、この戻す管路２５に切替弁２６が設けられている。
【００１１】
実施の形態２
この形態は、請求項３記載の発明の代表的な実施の形態である。
実施の形態1と異なる構成は次のとおりである。
前記下部水槽の外側面を凹部Ｄに形成し、この凹部Ｄに散布水汲み上げポンプPと、前記密閉型熱交換器１５とが収納されている。
なお、前記密閉型熱交換器１５を前記落とし込み水槽１４の外側で、この落とし込み水槽１４の架台に配置することもある。
【図面の簡単な説明】
【００１２】
【図１】実施の形態１の概略側面図である。
【図２】プレート式の密閉型熱交換器の分解斜視図である。
【図３】図２の密閉型熱交換器であるブロック体の斜視図である。
【図４】実施の形態２の概略側面図である。
【図５】図２と異なるチューブ式の密閉型熱交換器の斜視図である。
【符号の説明】
【００１３】
１０  小型冷却塔
１５  密閉型熱交換器
【図１】
2006226661.tif 000003
【図２】
2006226661.tif 000004
【図３】
2006226661.tif 000005
【図４】
2006226661.tif 000006
【図５】
2006226661.tif 000007